(57)【要約】【課題】構造は簡素でしかも採取ビンの破損を防ぐことができ、また、採取ビンが破損したとしてもそのことを容易に把握できる採取ビン運搬容器を提供することである。【解決手段】電気機器の絶縁油に含まれるＰＣＢを分析するために絶縁油が封入された採取ビン１５は格納部１１に格納され、格納部１１の上部は蓋１２で覆われる。格納部１１は、仕切り板１４により格子状に区分され、採取ビン１５を１個ずつ格納するための複数の格納空間が形成され、採取ビン１５を格納部１１内に整列して格納する。また、格納部１１の底部及び蓋１２の内側に緩衝材１３が配置され、採取ビン１５と接触して採取ビン１５を弾力を持って保持する。【選択図】  図１
2012062088.tif 000002
【特許請求の範囲】
【請求項１】
電気機器の絶縁油に含まれるＰＣＢを分析するために前記絶縁油が封入された採取ビンを格納し上部が蓋で覆われる格納部と、
前記採取ビンが前記格納部に整列して格納できるように前記格納部を格子状に区分し前記採取ビンを１個ずつ格納するための複数の格納空間を形成する仕切り板と、
前記格納部の底部及び前記蓋の内側に前記採取ビンと接触するように配置され前記採取ビンを弾力を持って保持する緩衝材とを備えたことを特徴とする採取ビン運搬容器。
【請求項２】
前記緩衝材は、前記格納空間を形成する前記仕切り板の周囲にも前記採取ビンと接触するように配置され、前記採取ビンを弾力を持って保持することを特徴とする請求項１記載の採取ビン運搬容器。
【請求項３】
前記格納部の底部を少なくとも透明または半透明の部材で形成し、前記採取ビンの底部外側に色紙を装着し、
前記色紙を装着した前記採取ビンを前記格納部の前記格納空間に格納したことを特徴とする請求項１記載の採取ビン運搬容器。
【請求項４】
前記採取ビンの底部外側に加え、前記採取ビンの側面部外側に色紙を装着し、
前記色紙を装着した前記採取ビンを前記格納部の前記格納空間に格納したことを特徴とする請求項３記載の採取ビン運搬容器。
【請求項５】
前記色紙と前記採取ビンの底部外側との間、前記色紙と前記採取ビンの側面部外側との間に油吸収マットを配置し、前記採取ビンに前記色紙及び前記油吸着マットを装着したことを特徴とする請求項３または４記載の採取ビン運搬容器。
【請求項６】
前記色紙を装着した前記採取ビン、または前記色紙及び前記油吸着マットを装着した前記採取ビンを収納する収納ビンを設け、この収納ビンを前記格納空間に収納することを特徴とする請求項３乃至５のいずれか１項記載の採取ビン運搬容器。
【発明の詳細な説明】
【技術分野】
【０００１】
本発明は、電気機器の絶縁油に含まれるＰＣＢを分析するために、絶縁油を採取して封入した採取ビンを運搬する際に用いられる採取ビン運搬容器に関する。
【背景技術】
【０００２】
ポリ塩化ビフェニルＰＣＢは、絶縁性、不燃性、化学的安定性などの性質により、電気機器、例えばトランスやコンデンサ等の絶縁油として使用されてきたが、毒性があることが判明したために新たな使用が禁止さている。現在でも、電気機器の中には微量のＰＣＢを含んだ絶縁油が使用されたものがあり、廃棄物処理法により厳重管理の下に保管するとともに、ＰＣＢ廃棄物を適正処理することが義務づけられている。
【０００３】
微量のＰＣＢに汚染された電気絶縁油の無害化処理にあたっては、無害化処理施設への受け入れ条件としてだけでなく、処理コストを低減する上でも処理前の濃度確認が非常に重要になる。例えば、絶縁油中ＰＣＢ濃度が所定値以下なら通常の廃棄物として処理が可能である。そこで、電気機器の絶縁油を採取しガラス製の採取ビンに封入し、採取ビンを緩衝材とともに空き箱に梱包して分析センターまで運搬し、分析を受けるようにしている。
【０００４】
ここで、生化学的材料を運んだり扱ったりする格納容器として、ケース内のクッションに薬ビンやバレルを収納する開口部を設け、この開口部に薬ビンやバレルを収納し、ケースを密閉して運搬するようにしたものがある（例えば、特許文献１参照）。
【先行技術文献】
【特許文献】
【０００５】
【特許文献１】特開平２−４６４５号公報
【発明の概要】
【発明が解決しようとする課題】
【０００６】
しかし、特許文献１のものは、ケース内のクッションに薬ビンやバレルを収納する大きさの開口部を形成しなければならず、格納容器の構成が複雑となる。また、薬ビンやバレルの大きさに応じてそれぞれそれに対応する種類のケースを用意しなければならないので高価となる。
【０００７】
一方、絶縁油の採取ビンは、毒物であるＰＣＢが含まれている可能性があるので、運搬中の採取ビンの破損を防ぐことが重要であるとともに、万一ビンが採取ビンが破損したときには、絶縁油に人間が触れることがないようにしなければならない。
【０００８】
本発明の目的は、構造は簡素でしかも採取ビンの破損を防ぐことができ、また、採取ビンが破損したとしてもそのことを容易に把握できる採取ビン運搬容器を提供することである。
【課題を解決するための手段】
【０００９】
請求項１の発明に係る採取ビン運搬容器は、電気機器の絶縁油に含まれるＰＣＢを分析するために前記絶縁油が封入された採取ビンを格納し上部が蓋で覆われる格納部と、前記採取ビンが前記格納部に整列して格納できるように前記格納部を格子状に区分し前記採取ビンを１個ずつ格納するための複数の格納空間を形成する仕切り板と、前記格納部の底部及び前記蓋の内側に前記採取ビンと接触するように配置され前記採取ビンを弾力を持って保持する緩衝材とを備えたことを特徴とする。
【００１０】
請求項２の発明に係る採取ビン運搬容器は、請求項１の発明において、前記緩衝材は、前記格納空間を形成する前記仕切り板の周囲にも前記採取ビンと接触するように配置され、前記採取ビンを弾力を持って保持することを特徴とする。
【００１１】
請求項３の発明に係る採取ビン運搬容器は、請求項１の発明において、前記格納部の底部を少なくとも透明または半透明の部材で形成し、前記採取ビンの底部外側に色紙を装着し、前記色紙を装着した前記採取ビンを前記格納部の前記格納空間に格納したことを特徴とする。
【００１２】
請求項４の発明に係る採取ビン運搬容器は、請求項３の発明において、前記採取ビンの底部外側に加え、前記採取ビンの側面部外側に色紙を装着し、前記色紙を装着した前記採取ビンを前記格納部の前記格納空間に格納したことを特徴とする。
【００１３】
請求項５の発明に係る採取ビン運搬容器は、請求項３または４の発明において、前記色紙と前記採取ビンの底部外側との間、前記色紙と前記採取ビンの側面部外側との間に油吸収マットを配置し、前記採取ビンに前記色紙及び前記油吸着マットを装着したことを特徴とする。
【００１４】
請求項６の発明に係る採取ビン運搬容器は、請求項３乃至５のいずれか１項の発明において、前記色紙を装着した前記採取ビン、または前記色紙及び前記油吸着マットを装着した前記採取ビンを収納する収納ビンを設け、この収納ビンを前記格納空間に収納することを特徴とする。
【発明の効果】
【００１５】
請求項１の発明によれば、採取ビンが格納部に整列して格納できるように格納部を仕切り板で格子状に区分し、採取ビンを１個ずつ格納するための複数の格納空間を形成するので構造を簡素化でき、格納部の底部及び蓋の内側に、採取ビンと接触するように採取ビンを弾力を持って保持する緩衝材を設けるので、採取ビンの破損を防ぐことができる。
【００１６】
請求項２の発明によれば、請求項１の発明の効果に加え、採取ビンを格納する格納空間を形成する仕切り板の周囲にも採取ビンと接触するように緩衝材を配置するので、採取ビンの破損をより効果的に防ぐことができる。
【００１７】
請求項３の発明によれば、請求項１の発明の効果に加え、色紙を装着した採取ビンを格納部の格納空間に格納するので、万一、採取ビンが破損して絶縁油が漏洩しても色紙が絶縁油を吸収し変色するので、透明または半透明の格納部の底部から絶縁油の漏洩を容易に確認できる。
【００１８】
請求項４の発明によれば、請求項３の発明の効果に加え、採取ビンの側面部外側にも色紙を装着するので、透明または半透明の格納部の側面部からも絶縁油の漏洩を確認できる。
【００１９】
請求項５の発明によれば、請求項３または４の発明の効果に加え、色紙に加え油吸収マットを配置するので、採取ビンが破損して絶縁油が漏洩しても油吸収マットで吸収できる。従って、格納部から絶縁油が漏出することを防止できる。
【００２０】
請求項６の発明によれば、請求項３乃至５のいずれか１項の発明の効果に加え、収納ビンに採取ビンを収納するので、採取ビンが破損して絶縁油が漏洩しても、絶縁油は収納ビン内に滞留し、格納部から絶縁油が漏出することを防止できる。
【図面の簡単な説明】
【００２１】
【図１】本発明の実施形態に係る採取ビン運搬容器の構成図。
【図２】本発明の実施形態における仕切り板を格納部に配置した状態の斜視図。
【図３】採取ビンの斜視図。
【図４】本発明の実施形態における仕切り板を配置した格納部に採取ビンを収納した状態の斜視図。
【図５】色紙を装着した採取ビンの斜視図。
【図６】色紙及び油吸収マットを装着した採取ビンの斜視図。
【図７】採取ビンを収納する収納ビンの斜視図。
【図８】収納ビンを格納部の格納空間に収納した場合の斜視図。
【発明を実施するための形態】
【００２２】
以下、本発明の実施形態を説明する。図１は本発明の実施形態に係る採取ビン運搬容器の構成図であり、図１（ａ）は蓋を搭載した状態での斜視図、図１（ｂ）は蓋を外した状態での格納部の斜視図、図１（ｃ）は仕切り板の斜視図である。
【００２３】
図１（ａ）に示すように、採取ビン運搬容器は、格納部１１の上部に蓋１２が設けられている。この採取ビン運搬容器の内部に、図示省略の絶縁油が封入された採取ビンが格納される。この採取ビンには、電気機器の絶縁油に含まれるＰＣＢを分析するための絶縁油が封入される。図１（ａ）では、蓋１２の内側に緩衝材１３が設けられ、蓋１２を搭載した状態を示している。蓋１２の周囲には掛止部１２ａが設けられ、この掛止部１２ａにて格納部１１に掛止される。
【００２４】
図１（ｂ）に示すように、格納部１１の底部にも緩衝材１３が配置されている。緩衝材１３は弾力性を有し、図示省略の採取ビンが格納部１１に収納されたとき、採取ビンと接触し、蓋１２をしたときに採取ビンの上側を蓋１２の緩衝材１３で、採取ビンの下側を格納部１１の底部の緩衝材１３で弾力を持って保持する。
【００２５】
図１（ｃ）に示すように、仕切り板１４は格子状に形成され、格納部１１の底部の緩衝材１３の上部に配置される。そして、格子状に区分された格子状空間は、１個の採取ビンが収納できる程度の大きさである。これにより、採取ビンが格納部１１に整列して格納できるように格納部１１を格子状に区分している。
【００２６】
図２は仕切り板１４を格納部１１に配置した状態の斜視図である。図２に示すように、仕切り板１４が格納部１１に配置されることによって、格納部１１内部に１個の採取ビンが収納できる複数の格納空間を形成し、これらの格納空間に、図３に示す採取ビン１５が格納される。採取ビン１５は、例えばガラスで形成され、採取ビン１５に絶縁油が入れられ、上部に例えばキャップ蓋１６にて封止される。
【００２７】
図４は仕切り板を配置した格納部に採取ビンを収納した状態の斜視図であり、図４（ａ）は蓋１２を外した状態の斜視図、図４（ｂ）は蓋１２をした状態の斜視図である。図４（ａ）に示すように、各々の格納空間に採取ビン１５を収納する。なお、図４では格納部１１の４隅の格納空間には採取ビン１５を収納していない状態を示している。格納部１１の４隅の丸みが採取ビンの丸みと同じ形状である場合には、格納部１１の４隅に採取ビン１５を収納してもよい。
【００２８】
図４（ｂ）に示すように、格納容器１１に採取ビン１５を収納した後に、蓋１２を格納容器１１の上部に搭載し掛止部１２ａにより、蓋１２を格納容器１１にに取り付ける。蓋１２には必要に応じて、採取した絶縁油の電気機器名称や採取した日付などを記載したラベル２０を貼り付ける。
【００２９】
次に、格納部１１の底部を少なくとも透明または半透明の部材で形成し、採取ビン１５の底部外側に色紙を装着し、色紙を装着した採取ビンを格納部１１の格納空間に格納するようにしてもよい。
【００３０】
図５は、色紙を装着した採取ビン１５の斜視図であり、図５（ａ）は採取ビン１５の底部に色紙を装着した場合、図５（ｂ）は採取ビン１５の底部及び側面部に色紙を装着した場合を示している。
【００３１】
図５（ａ）に示すように、採取ビン１５の底部に色紙１７を装着することによって、採取ビン１５が破損し、採取ビン１５に封入した絶縁油が漏洩した場合、採取ビン１５の底部の色紙１７に絶縁油が染み込んで色紙１７が変色する。そこで、格納部１１の底部を検視することによって色紙１７が変色しているかどうかを検査する。もし、色紙１７が変色していると採取ビン１５が破損していると判断できる。色紙１７の色は、絶縁油が染みこんだときと染みこまないときが識別できる色なら何色でもよいが、実験ではピンクが分かり易いことが判明した。
【００３２】
また、格納部１１の底部及び側面部を透明または半透明の部材で形成しておく場合には、図５（ｂ）に示すように、採取ビン１５の底部及び側面部に色紙１７を装着しておくと、格納部１１の側面部に配置された採取ビン１５の破損を格納部１１の側面部から容易に検視できる。また、格納部１１の中央部に格納された採取ビン１５であったとしても、採取ビン１５を取り出した場合に、その側面の色紙１７が変色していると、容易に採取ビン１５が破損して絶縁油が漏洩していることが分かる。
【００３３】
また、色紙１７に加え、採取ビン１５に油吸収マットを装着するようにしてもよい。図６は、色紙及び油吸収マットを装着した採取ビン１５の斜視図であり、図６（ａ）は採取ビン１５の底部に油吸収マット及び色紙を装着した場合、図６（ｂ）は採取ビン１５の底部及び側面部に油吸収マット及び色紙を装着した場合を示している。
【００３４】
図６（ａ）に示すように、採取ビン１５の底部に油吸収マット１８を配置し、その油吸収マット１８に色紙１７を装着する。採取ビン１５が破損し、採取ビン１５に封入した絶縁油が漏洩した場合、油吸収マット１８で絶縁油を吸収し、油吸収マット１８が吸収した絶縁油が色紙１７に染み込む。これによって、色紙１７が変色するので、格納部１１の底部を検視することによって採取ビン１５が破損しているかどうかを判断できる。この場合、漏洩した絶縁油を油吸収マット１８で吸収するので、格納部１１内部に滞留する絶縁油を抑制できる。
【００３５】
また、図６（ｂ）に示すように、採取ビン１５の底部及び側面部に油吸収マット１８を配置して、その油吸収マット１８に色紙１７を装着した場合も同様に、油吸収マット１８が吸収した絶縁油が色紙１７に染み込んで採取ビン１５の破損を判断できる。また、側面部の油吸収マット１８でも絶縁油を吸収できるので、格納部１１内部に滞留する絶縁油を抑制できる。
【００３６】
以上の説明では、色紙１７を装着した採取ビン、または色紙１７及び油吸収マット１８を装着した採取ビン１５を直接的に格納部１１の格納空間に格納するようにしたが、採取ビン１５を収納ビンに収納して、採取ビン１５を収納した収納ビンを格納部１１の格納空間に収納するようにしてもよい。
【００３７】
図７は、採取ビン１５を収納する収納ビン１９の斜視図である。収納ビン１９の上部には、対面する位置に一対の切欠部１９ａが設けられており、収納ビン１９に収納する採取ビン１５の出し入れが容易にできるようにしている。一対の切欠部１９ａとしたのは、例えば、親指と人差し指とが入るようにして採取ビン１５を容易に掴めるようにするためである。
【００３８】
採取ビン１５を収納ビン１９に収納する場合には、色紙１７を採取ビン１５に装着したり、または色紙１７及び油吸収マット１８を採取ビン１５に装着することに代えて、収納ビン１９の中に色紙１７や油吸収マット１８を装着しておき、採取ビン１５を収納ビン１９に入れるだけとしてもよい。この場合も、色紙１７や油吸収マット１８を採取ビン１５に装着した場合と同様となる。
【００３９】
次に、図８は収納ビン１９を格納部１１の格納空間に収納した場合の斜視図である。格納容器１１の格納空間は収納ビン１９の大きさに応じた大きさに形成されている。すなわち、仕切り板１４で区分される格納空間の大きさは、１個の収納ビン１９を収納できる大きさとしている。
【００４０】
収納ビン１９に採取ビン１５を収納することによって、採取ビン１５が破損して絶縁油が漏洩したとしても、絶縁油の漏洩範囲は収納ビン１９内となるので、収納部１１に絶縁油が漏洩することを防止できる。また、採取ビン１５を収納部１１から取り出す際に、収納ビン１９を収納部１１から取り出し、その後に収納ビン１９から採取ビン１５を取り出すので、漏洩した絶縁油が手に触れる危険を防止できる。また、収納ビン１９には切欠部１９ａが設けられているので、収納ビン１１から容易に採取ビン１５を取り出すことができる。
【００４１】
以上述べたように、本発明の実施形態によれば、絶縁油の採取ビン１５を格納する格納部１１を仕切り板１４で仕切り、収納部１１の底部及び蓋１２に緩衝材１３を設けたので、採取ビン１５の破損を防ぐことができる。
【００４２】
また、採取ビン１５の底部に色紙を装着した場合には、万一、運搬中に採取ビン１５が破損して絶縁油が漏洩した場合でも破損した採取ビンを容易に識別できるので、絶縁油に手が触れることを防止できる。また、採取ビン１５を収納ビン１９に収納する場合には、漏洩した絶縁油が収納部１１に漏洩することを防止でき、より安全性を確保できる。
【符号の説明】
【００４３】
１１…格納部、１２…蓋、１３…緩衝材、１４…仕切り板、１５…採取ビン、１６…キャップ蓋、１７…色紙、１８…油吸収マット、１９…収納ビン、２０…ラベル
【図１】
2012062088.tif 000003
【図２】
2012062088.tif 000004
【図３】
2012062088.tif 000005
【図４】
2012062088.tif 000006
【図５】
2012062088.tif 000007
【図６】
2012062088.tif 000008
【図７】
2012062088.tif 000009
【図８】
2012062088.tif 000010